(57)【要約】【課題】  頭皮に対するブリッスルや刃物の傾斜角度の調整に何らの熟練やこつを必要とすることなく毛髪の切断のできる毛髪用ブラシを提供することにある。【解決手段】  多数のブリッスル１２がブラシ本体１４に立起された毛髪用ブラシにおいて、前記のブリッスル１２の傍らに刃先１８ａを備えた刃物１８が立起されてなるもの。【選択図】  図１  
2004160205.tif 000002
【特許請求の範囲】
【請求項１】
多数のブリッスルがブラシ本体に立起された毛髪用ブラシにおいて、
前記のブリッスルの傍らに刃先を備えた刃物が立起されてなることを特徴とする毛髪用ブラシ。    
【請求項２】
前記の刃物の刃先がブリッスルに対向して配置されてなることを特徴とする請求項１記載の毛髪用ブラシ。    
【請求項３】
ブラシ本体の一定の領域に前記の刃物が立起されてなることを特徴とする請求項１又は２記載の毛髪用ブラシ。
【請求項４】
隣接するブリッスルに対向して前記の刃物の刃先が配置されてなることを特徴とする請求項１、２又は３記載の毛髪用ブラシ。
【請求項５】
前記の刃物の刃先の高さはブリッスルの高さに比較して低く設けられてなることを特徴とする請求項１、２、３又は４記載の毛髪用ブラシ。
【請求項６】
前記の刃物の刃先の高さとブリッスルの高さは略同一であって、かつ、刃物の上方端に頭皮の保護部材が設けられてなることを特徴とする請求項１、２、３記載又は４の毛髪用ブラシ。
【請求項７】
前記の刃物とブリッスルがそれぞれ上方、かつ、外側に向けて徐々にテーパ状に傾斜され、前記の刃物とブリッスルの間隔を広げて設けられてなることを特徴とする請求項１、２、３、４、５又は６記載の毛髪用ブラシ。
【請求項８】
前記の刃物に隣接するブリッスルの前記の刃物の刃先側の断面が少なくとも円弧状であることを特徴とする請求項１、２、３、４、５、６又は７記載の毛髪用ブラシ。
【請求項９】
断面略Ｕ字形のカバーが設けられ、このカバー内に刃物の刃先がカバーの開口部へ露呈させて内装され、前記のカバーに刃物の刃先の延長線に対して直角方向に刃先の延長線を越えて僅かに飛び出た突起が一定間隔毎に設けられてなることを特徴とする請求項１、２、３、４、６、７又は８記載の毛髪用ブラシ。
【請求項１０】
ブリッスルが刃物用母材に立起され、ブリッスルの傍らに刃先を備えた刃物が立起されるとともに、刃物の刃先がブリッスルに対向して配置されてなる毛髪ブラシ交換用刃物がブラシ本体に着脱自在に設けられてなることを特徴とする請求項１、２、３、４、５、６、７、８又は９記載の毛髪用ブラシ。
【請求項１１】
前記の刃物がブラシ本体に着脱自在に設けられてなることを特徴とする請求項１、２、３、４、５、６、７、８、９又は１０記載の毛髪用ブラシ。
【請求項１２】
前記のブラシ本体に嵌合孔が設けられ、前記の毛髪ブラシ交換用刃物の刃物用母材の形態が嵌合孔に対応させて設けられなることを特徴とする請求項１、２、３、４、５、６、７、８、９、１０又は１１記載の毛髪用ブラシ。
【請求項１３】
多数のブリッスルがブラシ本体に立起された毛髪用ブラシにおいて、
刃物が装着された刃物の保持部材を兼ねたブリッスルと刃物を備えないブリッスルがブラシ本体にそれぞれ立起され、前記の刃物の刃先が刃物を備えないブリッスルに対向して配置されてなることを特徴とする請求項１、２、３、４、５、６、７、８、９、１０、１１又は１２記載の毛髪用ブラシ。
【請求項１４】
多数のブリッスルがブラシ本体に立起された毛髪用ブラシにおいて、
ブラシ本体の一定の領域であって、かつ、ブリッスル間にブリッスルの高さに比較して高さの低い刃物が設けられ、かつ、刃物の刃先がブラシ本体の外側に向けられるとともにブラシ本体から遊離状態に配置されてなることを特徴とする毛髪用ブラシ。  
【請求項１５】
ブリッスルが刃物用母材に立起され、前記のブリッスルの傍らに刃先を備えた刃物が立起されてなることを特徴とする毛髪ブラシ交換用刃物。
【請求項１６】
ブリッスルが刃物用母材に立起され、前記のブリッスルの傍らに刃先を備えた刃物が立起されるとともに、刃物の刃先がブリッスルに対向して配置されてなることを特徴とする請求項１５記載の毛髪ブラシ交換用刃物。
【請求項１７】
刃物用母材に刃物が立起されてなることを特徴とする毛髪ブラシ交換用刃物。
【請求項１８】
隣接するブリッスルに対向して刃物の刃先が配置されてなることを特徴とする請求項１５又は１６記載の毛髪ブラシ交換用刃物。
【請求項１９】
前記の刃物の刃先の高さはブリッスルの高さに比較して低く設けられてなることを特徴とする請求項１５、１６又は１８記載の毛髪ブラシ交換用刃物。
【請求項２０】
前記の刃物の刃先の高さとブリッスルの高さは略同一であって、かつ、刃物の上方端に頭皮の保護部材が設けられてなることを特徴とする請求項１５、１６又は１８記載の毛髪ブラシ交換用刃物。  
【請求項２１】
前記の刃物とブリッスルが、上方に向けて徐々にテーパに傾斜され、間隔を広げて設けられてなることを特徴とする請求項１５、１６、１８、１９又は２０記載の毛髪ブラシ交換用刃物。
【請求項２２】
前記の刃物に隣接するブリッスルの前記の刃物の刃先側の断面が少なくとも円弧状であることを特徴とする請求項１５、１６、１８、１９、２０又は２１記載の毛髪ブラシ交換用刃物。
【請求項２３】
断面略Ｕ字形のカバーが設けられ、このカバー内に刃物の刃先がカバーの開口部へ露呈させて内装され、前記のカバーに刃物の刃先の延長線に対して直角方向に刃先の延長線を越えて僅かに飛び出た突起が一定間隔毎に設けられてなることを特徴とする請求項１５、１６、１７、１８、１９、２０、２１又は２２記載の毛髪ブラシ交換用刃物。
【請求項２４】
刃物が装着された刃物の保持部材を兼ねたブリッスルと前記の刃物を備えないブリッスルが刃物用母材にそれぞれ立起され、前記の刃物の刃先が刃物を備えないブリッスルに対向して配置されてなることを特徴とする請求項１５、１６、１７、１８、１９、２０、２１、２２又は２３記載の毛髪ブラシ交換用刃物。
【請求項２５】
刃物用母材上に一定の間隔を隔てて一対の刃物用支持部材が立起され、一対の刃物用支持部材間に刃物の刃先が刃物用母材の外側に向けられるとともに刃物用母材から遊離して配置されてなることを特徴とする毛髪ブラシ交換用刃物。
【発明の詳細な説明】
【技術分野】
【０００１】
この発明は、毛髪の切断機能、毛髪の梳き機能および頭皮のマッサ−ジ機能を備えた毛髪用ブラシと毛髪用ブラシに使用される毛髪ブラシ交換用刃物に関する。
【背景技術】
【０００２】
毛髪の美粧を図ることを目的として、毛髪を梳き、過剰な毛髪を部分的に切断し、かつ、頭皮のマッサージを行いつつ、毛髪のスタイルを調整するすることが広く行われている。
このような作業には、目的に応じて独立した梳きはさみとくしが利用され、毛髪の梳き作業と切断が伝統的に行われていた。
また、毛髪の調整と併せ頭皮のマッサージを行うことを目的として毛髪用ブラシが採用されていることも知られるとおりである。
【０００３】
しかし、前記の背景技術では梳きはさみとくしのほか毛髪用ブラシの使用が必要であり、その作業には熟練やいわゆるこつを必要としたので、使い勝手に欠ける欠点があった。
そこで、これらの欠点を解消しようと意図された毛髪用ブラシ７０として実開平５１−９９６６号公報に記載されたものがある（特許文献１を参照）。
この背景技術は、毛髪用ブラシ本体７２にブリッスル７４が３列設けられ、これのブリッスル７４との間に刃先７６ａを毛髪用ブラシ本体７２に対して反対側に向けられた刃物７６が毛髪用ブラシ本体７２に設けられ、刃物７６の高さがブリッスル７４より低く設けられたものである。
図１２、図１３を参照）。
【特許文献１】実開平５１−９９６６号公報
【発明の開示】
【発明が解決しようとする課題】
【０００４】
前記の特許文献１記載の背景技術では、ブリッスル７４の高さに比較して高さが低い刃物７６が設けられているから、一見、刃物７６により頭皮を痛めることなく、毛髪の切断機能、毛髪の梳き機能および頭皮のマッサ−ジ機能を備えているものと想像されるが、依然として次の問題点がある。
この背景技術の刃物７６は図１３に記載のとおり、ブリッスル７４と平行に毛髪用ブラシ本体７２に立起されている。
したがって、使用時に刃物７６の刃先７６ａは毛髪Ｈに対して直角方向に向けられることになる（図１４を参照）。
【０００５】
かくして、毛髪の梳き作業や頭皮のマッサージをブリッスル７４により行うことが期待でき、刃物７６により毛髪Ｈの切断を行うことができるものの、刃物７６の刃先７６ａが毛髪Ｈに対して直角方向に移動することになるから、希望する毛髪の切断量を超えて過剰に切断することになり、図１４に示されるように毛髪が段階的に切断される現象が生じることになる。
その結果、いわゆる“虎刈り”の状態を呈することになり、毛髪に不揃いを発生するという決定的な問題点がある。
【０００６】
この発明の目的は、前記の背景技術の構成が有していた問題点を解決しようとするものであり、１作業により、毛髪を梳くことや頭皮のマッサージを行うことと併せて、とりわけ、頭皮に対するブリッスルや刃物の傾斜角度の調整に何らの熟練やこつを必要とすることなく毛髪の切断のできる毛髪用ブラシを提供することにある。  
他の目的は、使用時に刃物により、頭皮を損傷させるおそれのない安全性に優れた毛髪用ブラシを提供することにある。
【０００７】
以下さらに、この発明の目的を列挙すると、次のとおりである。
毛髪の切断において、“虎刈り”を生じない毛髪用ブラシを提供することにある。
刃物の使用による劣化に応じて刃物の交換をすることができる毛髪用ブラシの提供、毛髪の切断量を倍加できる毛髪用ブラシの提供、刃物とブリッスルの間に毛髪を滑らかに導入できる毛髪用ブラシの提供などにある。
【０００８】
他の目的は、頭皮側の毛髪を切断できる毛髪ブラシ交換用刃物を提供することにある。
毛髪ブラシ交換用刃物の他の目的は、毛髪用ブラシの目的と共通点が少なくないから、援用する。
毛髪用ブラシのその他の目的は、毛髪ブラシ交換用刃物の他の目的と共に、以下の説明と図面を参照して容易に理解されるであろう。
【課題を解決するための手段】
【０００９】
第１の課題解決手段は、多数のブリッスルがブラシ本体に立起された毛髪用ブラシにおいて、前記のブリッスルの傍らに刃先を備えた刃物が立起されてなるものである。    
【００１０】
この明細書の用語「ブリッスル」とは、ブラシ本体に立起されるもので、ブラシ歯、梳き歯、ブラシ毛、くし歯など多様に称されているが、これらの用語と共通のものである。
一般的には細長いピン状のものであるが、横断面の形態が円形のほか、角張ったものでなければその形態を問わない。
また、豚毛などの獣毛の多数を断面円形に束ねたものもブリッスルに含まれることはいうまでもない。
【００１１】
ここに、ブリッスルの傍らに刃先を備えた刃物が立起されているとは、刃物がブリッスルに隣接していることのほか、隣接することなく隣に位置するブリッスルに間隔を隔てて刃物がブラシ本体に立起されていることを意味している。
【００１２】
第２の課題解決手段は、第１の課題解決手段において、前記の刃物の刃先がブリッスルに対向して配置されてなるものである。
【００１３】
第３の課題解決手段は、第１又は第２の課題解決手段において、ブラシ本体の一定の領域に前記の刃物が立起されてなるものである。
【００１４】
第４の課題解決手段は、第１、２又は第３の課題解決手段において、 隣接するブリッスルに対向して前記の刃物の刃先が配置されてなるものである。
【００１５】
第５の課題解決手段は、第１、第２、第３又は第４の課題解決手段において、前記の刃物の刃先の高さはブリッスルの高さに比較して低く設けられてなるものである。
【００１６】
第６の課題解決手段は、第１、第２、第３又は第４の課題解手段において、前記の刃物の刃先の高さとブリッスルの高さは略同一であって、かつ、刃物の上方端に頭皮の保護部材が設けられてなるものである。
【００１７】
第７の課題解決手段は、第１、第２、第３、第４、第５又は第６の課題解決手段において、前記の刃物とブリッスルがそれぞれ上方、かつ、外側に向けて徐々にテーパ状に傾斜され、前記の刃物とブリッスルの間隔を広げて設けられてなるものである。
【００１８】
第８の課題解決手段は、第１、第２、第３、第４、第５、第６又は第７の課題解決手段において、前記の刃物に隣接するブリッスルの前記の刃物の刃先側の断面が少なくとも円弧状であるもの。
【００１９】
第９の課題解決手段は、第１、第２、第３、第４、第５、第６、第７又は第８の課題解決手段において、断面略Ｕ字形のカバーが設けられ、このカバー内に刃物の刃先がカバーの開口部へ露呈させて内装され、前記のカバーに刃物の刃先の延長線に対して直角方向に刃先の延長線を越えて僅かに飛び出た突起が一定間隔毎に設けられてなるものである。
【００２０】
第１０の課題解決手段は、第１、第２、第３、第４、第５、第６、第７、第８又は第９の課題解決手段において、ブリッスルが刃物用母材に立起され、ブリッスルの傍らに刃先を備えた刃物が立起されるとともに、刃物の刃先がブリッスルに対向して配置されてなる毛髪ブラシ交換用刃物がブラシ本体に着脱自在に設けられてなるものである。
【００２１】
第１１の課題解決手段は、第１、第２、第３、第４、第５、第６、第７、第８第９又は第１０の課題解決手段において、前記の刃物がブラシ本体に着脱自在に設けられてなるものである。
【００２２】
第１２の課題解決手段は、第１、第２、第３、第４、第６、第７、第８、第９第１０又は第１１の課題解決手段において、前記のブラシ本体に嵌合孔が設けられ、前記の毛髪ブラシ交換用刃物の刃物用母材の形態が嵌合孔に対応させて設けられなるものである。
【００２３】
第１３の課題解決手段は、第１、第２、第３、第４、第６、第７、第８、第９第１０、第１１又は第１２の課題解決手段において、多数のブリッスルがブラシ本体に立起された毛髪用ブラシにおいて、刃物が装着された刃物の保持部材を兼ねたブリッスルと刃物を備えないブリッスルがブラシ本体にそれぞれ立起され、前記の刃物の刃先が刃物を備えないブリッスルに対向して配置されてなるものである。
【００２４】
第１４の課題解決手段は、多数のブリッスルがブラシ本体に立起された毛髪用ブラシにおいて、ブラシ本体の一定の領域であって、かつ、ブリッスル間にブリッスルの高さに比較して高さの低い刃物が設けられ、かつ、刃物の刃先がブラシ本体の外側に向けられるとともにブラシ本体から遊離状態に配置されてなるものである。  
【００２５】
以下に説明する第１５〜第２５の課題解決手段は、いずれも毛髪ブラシ交換用刃物に関する発明である。
【００２６】
第１５の課題解決手段は、ブリッスルが刃物用母材に立起され、前記のブリッスルの傍らに刃先を備えた刃物が立起されてなるものである。
【００２７】
第１６の課題解決手段は、第１５の課題解決手段において、ブリッスルが刃物用母材に立起され、前記のブリッスルの傍らに刃先を備えた刃物が立起されるとともに、刃物の刃先がブリッスルに対向して配置されてなるものである。
【００２８】
第１７の課題解決手段は、刃物用母材に刃物が立起されてなるものである。
【００２９】
第１８の課題解決手段は、第１５又は第１６の課題解決手段において、隣接するブリッスルに対向して刃物の刃先が配置されてなるものである。
【００３０】
第１９の課題解決手段は、第１５、第１６又は第１８の課題解決手段において、前記の刃物の刃先の高さはブリッスルの高さに比較して低く設けられてなるものである。
【００３１】
第２０の課題解決手段は、第１５、第１６又は第１８の課題解決手段において、
前記の刃物の刃先の高さとブリッスルの高さは略同一であって、かつ、刃物の上方端に頭皮の保護部材が設けられてなるものである。
【００３２】
第２１の課題解決手段は、第１５、第１６、第１８、第１９又は第２０の課題解決手段において、前記の刃物とブリッスルが、上方、かつ、外側に向けて徐々にテーパに傾斜され、間隔を広げて設けられてなるものである。
【００３３】
第２２の課題解決手段は、第１５、第１６、第１８、第１９、第２０又は第２１の課題解決手段において、前記の刃物に隣接するブリッスルの前記の刃物の刃先側の断面が少なくとも円弧状であるもの。
【００３４】
第２３の課題解決手段は、第１５、第１６、第１７、第１８、第１９、第２０、第２１又は第２２の課題解決手段において、断面略Ｕ字形のカバーが設けられ、このカバー内に刃物の刃先がカバーの開口部へ露呈させて内装され、前記のカバーに刃物の刃先の延長線に対して直角方向に刃先の延長線を越えて僅かに飛び出た突起が一定間隔毎に設けられてなるものである。
【００３５】
第２４の課題解決手段は、第１５、第１６、第１７、第１８、第１９、第２０、第２１、第２２又は第２３の課題解決手段において、刃物が装着された刃物の保持部材を兼ねたブリッスルと前記の刃物を備えないブリッスルが刃物用母材にそれぞれ立起され、前記の刃物の刃先が刃物を備えないブリッスルに対向して配置されてなるものである。
【００３６】
第２５の課題解決手段は、刃物用母材上に一定の間隔を隔てて一対の刃物用支持部材が立起され、一対の刃物用支持部材間に刃物の刃先が刃物用母材の外側に向けられるとともに刃物用母材から遊離して配置されてなるものである。
【発明の効果】
【００３７】
第１の課題解決手段は、上記のように構成されているから、以下の作用効果を奏する。
このブラシのブリッスル側を毛髪側に向け、かつ、頭皮に沿わせて一般的には頭部の頂きから首側に移動させる。
この場合、背景技術のくしでは、くし歯の頭皮に対する接触は線接触であるから、くし歯を一定の傾斜角度に保持する作業を必須とするが、その傾斜角度を一定に保持する作業には熟練やこつを必要とし、その作業の煩雑さを回避できなかった。
しかし、この発明では、多数のブリッスルが設けられているから、ブリッスルの傾斜角度の調整に一切拘ることなく、単にブリッスルを頭皮に当接させるだけで使用できる有利性がある。
多数のブリッスルが設けられているから、毛髪用ブラシのブリッスル群を単に頭皮へ当接させるだけで面接触させることができる。
したがって、背景技術のようにブリッスルの傾斜角度の調整という面倒かつ煩雑な作業を必要としないことのほか、毛髪の切断時のブラシの姿勢を常時一定に保持できるから、平均化して毛髪の切断、髪梳きおよびマッサージを行うことができる。
【００３８】
その上、この発明では、刃物はブリッスルの傍らに立起されているから、毛髪の切断は、背景技術のように毛髪に対して刃物が直角方向に移動することにより毛髪が切断されるものと異なり、刃物は毛髪に対して平行方向つまり毛髪の線方向に移動することにより毛髪の切断が行われる。
この点をさらに子細に説明すると、ブリッスルの傍らに立起された刃物との間には毛髪がブリッスルにより梳かれつつ収束状態で導入される。
この場合、導入された、たとえば、日本人の直毛による毛髪群は理論上、ブリッスルや刃物の刃先と平行に位置することになると予測されるが、実際にはブリッスルや刃物の刃先の動きは人の手の動きや円弧面である頭皮の形態に支配され、かつ、収束状態で導入される毛髪群の影響を受けることなどが相乗してその毛髪はブリッスルや刃物の刃先と平行に位置することなく、僅かに刃物の刃先に対して交差する状態になることを発明者は確認した。
【００３９】
そこで、刃先と毛髪が交差する状態でこのブラシを移動させることにより、刃物の刃先により毛髪を梳くようにして、刃先が毛髪に接触することにより徐々に切断される。
この場合、刃物の刃先は毛髪に対して段を描くことなく滑らかに接触することになるから、いわゆる虎刈りを生じない（図５を参照）。
したがって、背景技術では、刃物の刃先が毛髪に対して直角方向に移動するから、毛髪の局部を切断することになりがちで毛髪に段を生じるおそれがあったが、この発明では、前記したように、刃先と交差する毛髪を刃先で梳くようにして切断するから、毛髪を局部的に切断するおそれはなく、毛髪を平均化して切断することができる。
【００４０】
第２の課題解決手段は、上記のように構成されているから、以下の作用効果を奏する。
第１の課題解決手段が奏する作用効果のほか、刃物の刃先がブリッスルに対向して配置されてなるから、収束状態に導入される毛髪を一層切断し易い。
【００４１】
第３の課題解決手段は、上記のように構成されているから、以下の作用効果を奏する。
第１又は第２の課題解決手段が奏する作用効果のほか、刃先を備えた刃物はブラシ本体の全域に存在することなく一定の領域にのみ立起されているから、過度な毛髪の切断を抑制できる。
【００４２】
第４の課題解決手段は、上記のように構成されているから、以下の作用効果を奏する。
第１、第２又は第３の課題解決手段が奏する作用効果のほか、刃物の刃先が隣接するブリッスルに対向して配置されてなるから、刃物に隣接するブリッスルとの間に導入される毛髪を切断し易い。
【００４３】
第５の課題解決手段は、上記のように構成されているから、以下の作用効果を奏する。
第１、第２、第３又は第４の課題解決手段が奏する作用効果のほか、刃物には一般的に金属材料が、ブリッスルの材料には、プラスチックスや獣毛などの比較的柔軟性に富んだ材料が採用されることが少なくない。
刃物の刃先の高さはブリッスルの高さに比較して低く設けられるから、使用の際、ブリッスルの材料の物性に鑑み、頭皮に当接されてもブリッスルにより損傷することのないことは勿論、刃物の上方端が頭皮に当接されることがないので刃物により、頭皮を損傷させるおそれはない。
【００４４】
第６の課題解決手段は、上記のように構成されているから、以下の作用効果を奏する。
第１、第２、第３又は第４の課題解決手段が奏する作用効果のほか、刃物の刃先の高さとブリッスルの高さは略同一であるものの、刃物の上方端に頭皮の保護部材が設けられてなるから、刃物により頭皮を損傷させるおそれがない。  
【００４５】
第７の課題解決手段は、上記のように構成されているから、以下の作用効果を奏する。
第１、第２、第３、第４、第５又は第６の課題解決手段が奏する作用効果のほか、前記の刃物とブリッスルが、上方、かつ、外側に向けて徐々にテーパ状に傾斜され、間隔を広げて設けられてなるものであるから、刃物とブリッスルの間に導入する毛髪量を増加できるので、毛髪量の多い毛の切断に寄与する。
【００４６】
第８の課題解決手段は、上記のように構成されているから、以下の作用効果を奏する。
第１、第２、第３、第４、第５、第６又は第７の課題解決手段が奏する作用効果のほか、ブリッスルの前記の刃物の刃先側の断面が少なくとも円弧状であるから、毛髪を円滑に導入し易い。      
【００４７】
第９の課題解決手段は、上記のように構成されているから、以下の作用効果を奏する。
第１、第２、第３、第４、第６、第７又は第８の課題解決手段が奏する作用効果のほか、カバーの強度の増加を図ることができることのほか、突起を一定の間隔毎に設けることにより、刃物とブリッスルとの間に導入される毛髪が突起により、分断できるので毛髪を過剰に切断するおそれがない。
【００４８】
第１０の課題解決手段は、上記のように構成されているから、以下の作用効果を奏する。
第１、第２、第３、第４、第５、第６、第７、第８又は第９の課題解決手段が奏する作用効果のほか、刃物の刃先がブリッスルに対向して配置されてなる毛髪ブラシ交換用刃物がブラシ本体に着脱自在に設けられてなるから、刃物の使用による劣化に応じて交換をすることができる。
その上、毛髪ブラシ交換用刃物はブリッスルを備え、かつ、刃物の刃先がブリッスルに対向して配置されてなるから、毛髪ブラシ交換用刃物の交換時に刃物の刃先をブリッスルに対向させて配置する手間を省略できる。
【００４９】
第１１の課題解決手段は、上記のように構成されているから、以下の作用効果を奏する。
第１、第２、第３、第４、第５、第６、第７、第８、第９又は第１０の課題解決手段が奏する作用効果のほか、刃物が着脱自在に設けられてなるから、刃物の使用による劣化に応じて交換をすることができる。
【００５０】
第１２の課題解決手段は、上記のように構成されているから、以下の作用効果を奏する。
第１、第２、第３、第４、第５、第６、第７、第８、第９、第１０又は第１１の課題解決手段が奏する作用効果のほか、ブラシ本体の嵌合孔に毛髪ブラシ交換用刃物の刃物用母材を装着でき、また、その嵌合孔から毛髪ブラシ交換用刃物を外すことができるから、毛髪ブラシ交換用刃物の着脱機構を複雑化させることなく、簡素化できる。
【００５１】
第１３の課題解決手段は、上記のように構成されているから、以下の作用効果を奏する。
第１、第２、第３、第４、第５、第６、第７、第８、第９、第１０、第１１又は第１２の課題解決手段が奏する作用効果のほか、前記の刃物とブリッスルが、上方、かつ、外側に向けて徐々にテーパ状に傾斜され、間隔を広げて設けられてなるものであるから、刃物とブリッスルの間に導入する毛髪量を増加できるので、毛髪量の多い毛の切断に寄与する。
【００５２】
第１４の課題解決手段は、上記の構成であるから、刃物の両側に刃先を設けることが可能であるから、使用時において使い勝手がよい。
また、刃物がブラシ本体から遊離状態に配置されてなるから、切断された毛髪は刃物の上下に形成される空間部を通じて排出できるから、毛髪が詰まるおそれがない。
【００５３】
第１５の課題解決手段は、上記のように構成されているから、以下の作用効果を奏する。
ブラシ本体の刃物の劣化に備えて刃物用母材を交換できるほか、第１の課題解決手段が奏する作用効果を共有する。      
【００５４】
第１６の課題解決手段は、上記のように構成されているから、以下の作用効果を奏する。
第１５の課題解決手段の作用効果を奏することのほか、刃物の刃先がブリッスルに対向して配置されているから、この毛髪ブラシ交換用刃物をブラシ本体に装着することにより、第２の課題解決手段の作用効果と共通の作用効果が得られる。
【００５５】
第１７の課題解決手段は、上記の構成であるから、第１５の課題解決手段の作用効果と共通の作用効果が得られる。
【００５６】
第１８の課題解決手段は、上記のように構成されているから、以下の作用効果を奏する。
第１５又は第１６の課題解決手段が奏する作用効果のほか、第４の課題解決手段の作用効果と共通の作用効果の得られる毛髪ブラシ交換用刃物を提供することができる。      
【００５７】
第１９の課題解決手段は、上記のように構成されているから、以下の作用効果を奏する。
第１５、第１６又は第１８の課題解決手段が奏する作用効果のほか、使用時に第５の課題解決手段の作用効果と共通の作用効果の得られる毛髪ブラシ交換用刃物を提供することができる。      
【００５８】
第２０の課題解決手段は、上記のように構成されているから、以下の作用効果を奏する。
第１５、第１６又は第１８の課題解決手段が奏する作用効果のほか、使用時に第６の課題解決手段の作用効果と共通の作用効果の得られる。  
【００５９】
第２１の課題解決手段は、上記のように構成されているから、以下の作用効果を奏する。
第１５、第１６、第１８、第１９又は第２０の課題解決手段が奏する作用効果のほか、第７の課題解決手段と共通の作用効果が得られる。      
【００６０】
第２２の課題解決手段は、上記のように構成されているから、以下の作用効果を奏する。
第１５、第１６、第１８、第１９、第２０又は第２１の課題解決手段が奏する作用効果のほか、第８の課題解決手段と共通の作用効果が得られる    
【００６１】
第２３の課題解決手段は、上記のように構成されているから、以下の作用効果を奏する。
第１５、第１６、第１８、第１９、第２０、第２１又は第２２の課題解決手段が奏する作用効果のほか、第９の課題解決手段と共通の作用効果が得られる。
【００６２】
第２４の課題解決手段は、上記のように構成されているから、以下の作用効果を奏する。
第１５、第１６、第１８、第１９、第２０、第２１、第２２又は第２３の課題解決手段が奏する作用効果のほか、第１３の課題解決手段と共通の作用効果が得られる。
【００６３】
第２５の課題解決手段は、上記のように構成されているから、以下の作用効果を奏する。
第２５の課題解決手段による毛髪ブラシ交換用刃物をブラシ本体に装着することにより、第１４の課題解決手段と共通の作用効果を奏する。        
【発明を実施するためにの最良の形態】
【００６４】
この発明の実施の形態に係る毛髪用ブラシ１０と毛髪ブラシ交換用刃物２０の発明を図面を参照して説明する。
この発明は、広く知られた毛髪用ブラシと毛髪の切断用の刃物を組み合わせたものであり、毛髪を梳きつつ、併せて余剰な毛髪を切断できるようにしたものである。
【００６５】
実施例１の毛髪用ブラシ１０について説明する。
この実施の形態では、（１）ブラシ本体１４に刃物１８が固定された毛髪用ブラシ１０と、（２）ブリッスル１２と刃物１８を備えた毛髪ブラシ交換用刃物２０がブラシ本体１４に着脱自在に設けられた毛髪用ブラシ１０と、（３）さらに刃物だけを備えた毛髪ブラシ交換用刃物がブラシ本体１４に着脱自在に設けられた毛髪用ブラシ１０について言及されている。         
【００６６】
ブラシ本体１４に刃物１８が固定された毛髪用ブラシ１０の基本的構成は、多数のブリッスル１２がブラシ本体１４に立起された毛髪用ブラシ１０において、前記のブリッスル１２の傍らに刃先１８ａを備えた刃物１８が立起されるとともに、刃物１８の刃先１８ａがブリッスル１２に対向して配置されてなるものである（図１、図２、図４を参照）。
【００６７】
毛髪用ブラシ１０は知られるようにブリッスル１２を備えたブラシ本体１４と取っ手１６から構成され、一般的にブラシ本体１４は細長いものであり、長辺と短辺を備えているものであるが、その形態は問わない。
また、取っ手１６のないもの、ブラシ本体１４が細長くない形態のものについても発明者は予定している。
さらに、取っ手１６がブラシ本体１４に対して回動自在であるもの、非回動であるものを問わない。
該本体１４に対する取り付け位置の変更はこの種のブラシに知られるように自由である（図１を参照）。
【００６８】
毛髪用ブラシ１０には、知られるように前記したブリッスル１２の多数がブラシ本体１４の下面に立起されている。
ブリッスル１２の配置は、列方向のピッチの間隔が一定である場合と異なる場合があるが、この発明では問わない。
ブリッスル１２は前記の本体１４と共に、生産効率や生産コストを考慮すれば、プラスチックスが好ましいが、材質を制約するものではない。たとえば、広く知られるように、豚毛などの獣毛の多数本を束ねたものを１単位とし、これらの単位の多数群により、多数のブリッスルを構成することは自由である。
【００６９】
ブリッスル１２の先端（使用時の頭皮側）は、使用時に人の頭皮Ｔに接触され、毛髪Ｈを梳くとともに頭皮Ｔのマッサージを行うのに寄与するから、緩衝機能に優れた断面円弧状に形成することが好ましく、頭皮Ｔの損傷や痛みの解消に寄与できる（図１〜図４を参照）。
【００７０】
ブリッスル１２の形態を制約するものではないが、一般的には知られるように横断面が円形の細長いピン状のものでよい。
この場合は、既存のブラシや生産設備を利用できる利点がある。
【００７１】
他方、この発明では、ブリッスル１２の傍らに刃先１８ａを備えた板状の刃物１８がブラシ本体１４の下面に立起され、毛髪Ｈを一定の収束状態で切断できるように図られている（図３、図４を参照）。
【００７２】
ブリッスル１２の傍らに刃物１８が立起される場合、ブラシ本体１４の全域に刃物１８を設けることは、一般的には過度な毛髪Ｈの切断を招来するおそれがあるから、図１に示されるようにブラシ本体１４の一定の領域を占めるように設けることで一般的には足りる。
しかし、毛髪が格別多い人やある種の目的のために、多数の毛髪を切断する場合については、必ずしも刃物１８をブラシ本体１４の一定の領域に設けることに制約する必要がない。
図示の場合では、ブラシ本体１４の中央から先端寄りにかけて５個の刃物１８が設けられているが、その数や位置は、特に制約されない。
【００７３】
ブリッスル１２の傍らに刃物１８が立起されてなることを説明したが、互いに隣接するブリッスル１２と刃物１８との間に導入される毛髪Ｈの切断を特に意図するものであるから、好ましくは、図１、図３、図４に示されるように隣接するブリッスル１２に対向して刃物１８の刃先１８ａが配置されていることが希望される。
【００７４】
刃物１８の構成は、剃刀のように一側に刃先１８ａを備えた板状のものでよく、断面略Ｕ字状のプラスチックス製のカバー１８ｂを設け、このカバー１８ｂ内に刃先１８ａをカバー１８ｂの開口部側へ露呈させて内装されている。
断面Ｕ字状のプラスチックス製のカバー１８ｂ内に刃物１８を内装するには、いわゆるインサート成形を行うことにより、手軽に実施できる。
【００７５】
刃物１８の刃先１８ａの高さをブリッスル１２の高さと同程度に設定する場合は、追って詳細を説明するが、使用上、刃物１８の刃先１８ａを頭皮Ｔに接触させたとき、頭皮Ｔを損傷させるおそれがあるから、前記したプラスチックス製のカバー１８ｂを採用し、刃物１８の先端をプラスチックス製のカバー１８ｂにより覆うことにより、頭皮Ｔの損傷を防止できる利点を有する。
【００７６】
刃物１８のカバー１８ｂには、図２、図４に示されるように、刃物１８の刃先１８ａの延長線に対して直角方向に刃先１８ａの延長線を越えて僅かに飛び出る突起１８ｃを一定間隔毎に設けることも発明者は予定している。
カバー１８ｂの強度の増加を図ることができることのほか、突起１８ｃを一定の間隔毎に設けることにより、刃物１８とブリッスル１２との間に導入される毛髪Ｈが突起１８ｃにより、分断できるので毛髪Ｈを過剰に切断するおそれがない。
【００７７】
刃物１８の高さをブリッスル１２の高さに比較して低く設定することも発明者は予定している。
刃物１８は一般的に金属材料が採用されることが普通であるから、この発明の場合、ブラシ１０の使用時に刃物１８の先端側が人の頭皮Ｔに接触して頭皮Ｔを傷つけることを回避しなければならない。
そこで、この発明者は、ブリッスル１２を高く、刃物１８を低く設けることにより、ブラシ１０の使用時に、ブリッスル１２の先端が頭皮Ｔに接触し、刃物１８の先端が頭皮Ｔに接触しないように試みた。
【００７８】
刃物１８の高さはブリッスル１２より低い場合も予定されているが、使用時の頭皮Ｔの安全性を考慮するならば、刃物１８の先端に適宜の頭皮Ｔを保護する保護部材を装着することは自由である。
【００７９】
ブリッスル１２の傍らに刃先１８ａを備えた板状の刃物１８がブラシ本体１４の下面に立起されてなることを先に説明したが、この発明では、使用時にブリッスル１２と刃物１８の間に毛髪Ｈを導入し、その刃先１８ａに毛髪Ｈを接触させることにより、毛髪Ｈの切断を図るものであるから、刃物１８の刃先１８ａは、ブリッスル１２に対向している。
【００８０】
ブリッスル１２について、従来から知られたものをブラシ本体１４の下面に立起させることを先に説明したが、多数のブリッスル１２のうち、刃物１８の刃先１８ａに対向されるブリッスル１２については、図示のように横断面において円弧面を有し、さらに強度が他のブリッスル１２に比較して高いものを採用することも発明者は予定している。
【００８１】
この発明では、ブリッスル１２と刃物１８の間に毛髪Ｈを強制的に収束状態で挟むようにして導入し、収束状態の毛髪Ｈを刃物１８により、切断することが意図されているから、従来の毛髪用ブラシが専ら毛髪の梳き作業や頭皮のマッサージを目的とするものと異なり、とりわけ、刃物１８の刃先１８ａに対向されるブリッスル１２に対して集中応力が作用し、ブリッスル１２に負荷がかかることが予期されるから、横断面において、円弧面を有し、あるいは強度が他のブリッスル１２に比較して高いものを採用したものである。
【００８２】
さらにいえば、前記のブリッスル１２の形態を横断面において円弧面に設けることにより、毛髪Ｈの導入時に導入される毛髪Ｈを滑らかに導入できる利点もある。
【００８３】
そこで、刃物１８の刃先１８ａに対向されるブリッスル１２については、図面に示すように断面積を広くしたり、強度に優れた材質のものを採用することが好ましい。
なお、刃物１８についても、ブリッスル１２と同様に負荷がかかることが予期されるが、一般的には金属材料が採用されるから、特にその配慮は必要ないが、必要に応じて強度の増加を図ることは自由である。
【００８４】
先に、刃物１８の刃先１８ａは、ブリッスル１２に対向していることを説明したが、さらに好ましい例を挙げると、ブリッスル１２の中心軸線の延長線上に刃物１８の刃先１８ａが位置していることが希望される。
このように、刃先１８ａがブリッスル１２の中心軸線の延長線上に位置していることにより、毛髪Ｈの切断を理想に近い状態で行うことのできる利点がある。
【００８５】
前記の刃物１８はブラシ本体１４に固定して設けることのほか、使用による劣化に備えて着脱自在に設けることも発明者は予定している。
なお、刃物１８をブラシ本体１４に着脱自在に設ける具体例については、追って説明する。
【００８６】
そのほか、この発明の実施の形態では、前記の刃物１８とブリッスル１２がそれぞれ上方、かつ、外側に向けて徐々にテーパ状に傾斜され、前記の刃物１８とブリッスル１２の間隔を広げて設けられることにより、刃物１８とブリッスル１２の間に導入する毛髪量を増加できるので、毛髪量の多い毛の切断に寄与できるように図られている。
【００８７】
また、前記の刃物１８に隣接するブリッスル１２の前記の刃物１８の刃先１８ａ側を少なくとも断面が円弧状に設けられることにより、刃物１８とブリッスル１２の間に毛髪Ｈを滑らかに導入できるようにされている。
【００８８】
毛髪用ブラシ１０の使用時の毛髪Ｈに対する角度は、使用者の好み、毛髪Ｈの梳き部位や切断する部位により、異なることが少なくない。
さらに、利き腕の相違によっても毛髪Ｈに対する角度は相違する。
毛髪用ブラシ１０の使用時の毛髪Ｈに対する使用角度の相違は、当然のことながら、前記のブリッスル１２やとりわけ、刃物１８の刃先１８ａの傾斜角度に影響を与える。
【００８９】
そこで、発明者は、前記の使用条件の相違を考慮し、実験的に使用角度の研究を試みた。
その結果、たとえば、利き腕が右利きであって、右後頭部の毛髪Ｈを右側から首方向に向けて毛髪用ブラシ１０を斜めに移動させて、毛髪Ｈを梳き、かつ、切断する場合を基準としたとき、その傾斜角度は、ブラシ本体１４の中心線に対して１０〜８０度の範囲、このましくは６０度が適当であることが判明した。
他方、利き腕が左利きであって、左後頭部の毛髪Ｈを梳き、かつ、切断する場合を基準としたときのその傾斜角度は、前記と対称的にブラシ本体１２の中心線に対して１００〜１７０度の範囲、このましくは１２０度が適当であることが判明した。
【００９０】
前記した刃物１８は、ブリッスル１２と独立して断面Ｕ字状のプラスチックス製のカバー１８ｂを設け、このカバー１８ｂ内に刃先１８ａをカバー１８ｂの開口部側へ露呈させて内装されていることを説明した。
これに対してこの実施の形態では、刃物１８用のカバー１８ｂを設けるのに代えて、図示を省略したが、刃物１８の保持部材を兼ねたブリッスルと刃物１８を備えないブリッスル１２がブラシ本体１４にそれぞれ立起され、前記の刃物１８の刃先１８ａが刃物１８を備えないブリッスル１２に対向して配置されてなるようにしてもこの発明の目的は達成できる。
【００９１】
換言すれば、ブリッスル１２自体に刃物１８が備えられているといえるであろう。
【００９２】
この実施の形態は、前記した毛髪用ブラシ１０の刃物１８の使用による劣化に備えてブラシ本体１４に刃物１８を着脱自在とした毛髪ブラシ交換用刃物２０である。
【００９３】
刃物１８がブラシ本体１４に非着脱の状態で装着されている毛髪用ブラシ１０に対して、毛髪ブラシ交換用刃物２０では、ブラシ本体１４に刃物１８を装着するのに代えて刃物用母材２２に刃物１８やブリッスル１２が設けられている相違に止まるから、前記した毛髪用ブラシ１０と共通する構成についてはその説明を援用する。
さらに、刃物用母材２２に刃物だけを設けた毛髪ブラシ交換用刃物についても言及されている。
また、毛髪ブラシ交換用刃物２０を着脱可能にするブラシ本体１４の構成について併せて説明する（図６〜図９を参照）。
【００９４】
毛髪ブラシ交換用刃物２０は、ブリッスル１２が刃物用母材２２に立起され、前記のブリッスル１２の傍らに刃先１８ａを備えた刃物１８が立起されるとともに、刃物１８の刃先１８ａがブリッスル１２に対向して配置されている（図６、図９を参照）。
この実施の形態では、ブリッスル１２と刃物１８がそれぞれ５本毎設けられてれいるが、その数は必要に応じて設けることは前記した毛髪用ブラシ１０の場合と同様に自由である。
【００９５】
毛髪ブラシ交換用刃物２０は、ブラシ本体１４に形成された嵌合孔２４に着脱自在に設けるようにしたものであるから、刃物用母材２２が嵌合孔２４の形態に対応して設けられている（図９を参照）。
【００９６】
さらに具体的にいえば、該母材２２の一側は波状の凹凸面２６として形成され、一方、ブラシ本体１４の嵌合孔２４の一側は、母材２２の一側の波状の凹凸面２６に対応させて波状の凹凸面２８として形成されている（図６を参照）。
【００９７】
さらに、母材２２の長手方向の両側にはストッパー３０、３０が形成されている。
一方、ブラシ本体１４の表面側における嵌合孔２４の開口の両側には、前記のストッパー３０、３０に対応する係合段部３２が形成されている（図９を参照）。
【００９８】
かくして、この毛髪ブラシ交換用刃物２０の刃物１８側をブラシ本体１４の表面から下面に向け、毛髪ブラシ交換用刃物２０の該母材２２をブラシ本体１４の嵌合孔２４に嵌合する。
そして、母材２２の波状の凹凸面２６が、ブラシ本体１４の嵌合孔２４の波状の凹凸面２８に嵌合され、さらに、毛髪ブラシ交換用刃物２０の母材２２に設けられたストッパー３０、３０がブラシ本体１４の係合段部３２により、支持されることにより、毛髪ブラシ交換用刃物２０をブラシ本体１４に妄動することなく、確実に装着でき、毛髪ブラシ交換用刃物２０を取り外しに備えて母材２２につまみ３４が設けられている（図９を参照）。
【００９９】
かくして、前記の毛髪ブラシ交換用刃物２０の刃物用母材２２をブラシ本体１４の嵌合孔２４に嵌合することにより、多数のブリッスル１２がブラシ本体１４に立起された毛髪用ブラシ１０において、前記のブリッスル１２の傍らに刃先１８ａを備えた刃物８が立起されるとともに、刃物１８の刃先１８ａがブリッスル１２に対向した毛髪用ブラシ１０を得ることができる（図８を参照）。
【０１００】
なお、この毛髪ブラシ交換用刃物２０は、ブリッスル１２と刃物１８を組み
合わせたものであるから、ブラシ本体１４から独立してそれ自体単独で毛髪の整理用具として利用できる利点を有する。
【０１０１】
他方、前記の毛髪ブラシ交換用刃物２０では、ブリッスル１２と刃物１８を組み合わせたが、ブリッスル１２を省略した毛髪ブラシ用交換刃物も発明者は予定している。
図示を省略したが、刃物用母材２２に前記した刃物１８を単独に立起させることにより、交換用の刃物を得ることができる。
換言すれば、図６を参照して、ブリッスル１２のない状態のものである。
この場合は、ブリッスル１２がないものであるから、ブラシ本体１４のブリッスル１２の傍らに嵌合孔を設けることにより、刃物をその嵌合孔に装着させるようにすればよい。
【０１０２】
このようなブリッスルを省略した毛髪ブラシ交換用刃物の刃物用母材をブラシ本体１４の嵌合孔に嵌合することにより、多数のブリッスル１２がブラシ本体１４に立起された毛髪用ブラシ１０において、前記のブリッスル１２の傍らに刃先１８ａを備えた刃物８が立起されるとともに、刃物１８の刃先１８ａがブリッスル１２に対向した毛髪用ブラシ１０を得ることができる。
この場合、刃物の装着時に刃先を隣接するブリッスル１２に配置することが好ましい。
【０１０３】
次にこの発明の実施の形態による毛髪用ブラシ１０の使用方法を図面を参照して１例を挙げる。
この使用方法の例は、先に説明した（１）、（２）および（３）の３タイプの毛髪用ブラシ１０について共通である。
【０１０４】
このブラシ１０のブリッスル１２側を毛髪Ｈ側に向け、かつ、頭皮Ｔに沿わせて移動させる（図３の符号Ｙ方向）。
この場合、一般的にその移動は緩やかな円弧を描くことが普通である。
この移動に伴い、多数のブリッスル１２および刃物１８により毛髪Ｈを梳くことができることは勿論、 頭皮Ｔ側換言すれば、毛髪Ｈの下層に存在するたとえば美観上無駄毛となる過剰な毛髪Ｈをブリッスル１２とその傍らの刃物１８の刃先１８ａとの間の間隔に収束状態で導入させる（図３、図４を参照）。
【０１０５】
この場合、導入される収束状態の毛髪Ｈ群は刃物１８の刃先１８ａの垂直線方向に対してクロスされた状態で強制的に導入され、刃先１８ａ寄りの毛髪Ｈ群の一部が刃先１８ａに接触する（図４を参照）。
さらに、このブラシ１０を毛髪Ｈの先端方向（人体の首側）へ移動させることにより、毛髪Ｈは刃先１８ａと摩擦されつつ、収束状態の毛髪Ｈの一部つまり、刃先１８ａ寄りに位置する毛髪Ｈ群が切断される（図４を参照）。
したがって、この発明は、自身で行う困難性の高い頭皮Ｔ寄りの位置換言すれば、根本から毛髪Ｈをまとめて切断できる利点がある。 
そして、切断された毛髪Ｈは、収束状態から解放され脱落するが、ブラシ１０の移動に追従して一般的に人体の首側つまり下方に位置している毛髪Ｈが新たに前記したブリッスル１２および刃物１８との間に強制されるように導入される。
一方、刃先１８ａ寄りの未切断の状態にある毛髪Ｈは、前記のように刃先１８ａに接触して引き続き切断される。
【０１０６】
したがって、頭皮Ｔ側つまり、下層の毛髪Ｈにブリッスル１２とその傍らの刃物１８の刃先１８ａを当接させることができるから、頭皮Ｔ側の毛髪Ｈをもブリッスル１２と相まって、梳きつつ切断できる。
【０１０７】
次に、この発明の実施の形態その２の毛髪用ブラシ５０について説明する（図１１、図１２を参照）。
この実施の形態についても先の実施の形態と同様に、（４）ブラシ本体５４に刃物５６が固定された毛髪用ブラシ５０と、（５）ブリッスル５２と刃物５６を備えた毛髪ブラシ交換用刃物がブラシ本体５４に着脱自在に設けられた毛髪用ブラシ５０と、（６）さらに刃物５２だけをを備えた毛髪ブラシ交換用刃物がブラシ本体５４に着脱自在に設けられた毛髪用ブラシ５０について言及されている。
【０１０８】
多数のブリッスル５２がブラシ本体５４に立起された毛髪用ブラシにおいて、
ブラシ本体５４の一定の領域であって、かつ、ブリッスル５２の高さに比較して低い位置において、ブリッスル間に刃物５６が設けられている。
そして刃物の刃先５６ａがブラシ本体５４の外側に向けられるとともにブラシ本体５４から遊離して配置されてなるものである。  
【０１０９】
さらに具体的にいえば、ブラシ本体５４の両側に一対の刃物用支持部材５８が立起され、この一対の刃物用支持部材５８の上方の間に刃物５６が掛け渡すように水平状態で装着されている。
この場合、刃物５６の両側端にはそれぞれ刃先５６ａが設けられているが、必ずしも両側に刃先５６ａを設けることなく、一側にのみ設けることは自由である。
一般的に刃物５６は板状のもので足りるが、刃物５６はブラシ本体５４から一定の間隔を隔て遊離状態により、刃先５６ａがブラシ本体５４の外側に向けられている。
そのほか、図示した刃物５６の具体例は、水平状態に表されているが、断面形状が山形を描き、刃物の両側に空間を形成するようにすることも発明者は予定している。
【０１１０】
ブリッスル５２と刃物５６を備えた毛髪ブラシ交換用刃物をブラシ本体５４に着脱自在に設ける構成、刃物５６だけをを備えた毛髪ブラシ交換用刃物をブラシ本体５４に着脱自在に設ける構成は、先に説明した実施の形態その１の構成と基本的にそっくり同一でよいから、その構成を援用して説明を援用する。
【０１１１】
次にこの発明の実施の形態による毛髪用ブラシ５０の使用方法を図面を参照して１例を挙げる。
このブラシ５０のブリッスル５２側を毛髪Ｈ側に向け、かつ、頭皮に沿わせて移動させる（図１１の符号ＹまたＺ方向）。
かくして、刃物５６の刃先５６ａは頭皮側に位置している毛髪Ｈに対して直角方向に向けられ、刃物５６の移動に追従して頭皮側に位置している毛髪Ｈに対して刃物５６が直角に移動することにより毛髪Ｈの切断が顕著に行われ、併せて毛髪Ｈを梳くことができる。  
この例では、刃物５６はブラシ本体５４から一定の間隔を隔て遊離状態にあるから、切断された毛髪Ｈは、刃物５６を境にしてその上下に形成される空間の何れに落下するから、ブリッスル５２間に毛髪Ｈが詰まることがない。
【図面の簡単な説明】
【０１１２】
【図１】この発明の実施の形態に係る毛髪用ブラシの斜視図
【図２】この発明の実施の形態に係る毛髪用ブラシの要部の拡大正面図
【図３】この発明の実施の形態に係る毛髪用ブラシの使用状態を示す拡大側面図
【図４】この発明の実施の形態に係る毛髪用ブラシの使用状態を示す拡大断面図
【図５】この発明の実施の形態に係る毛髪用ブラシの刃物の毛髪に対する切断要領を示す説明図
【図６】この発明の実施の形態に係る毛髪用ブラシ交換用刃物の斜視図
【図７】この発明の実施の形態に係る他の実施の形態の毛髪用ブラシ本体に毛髪用ブラシ交換用刃物を装着する前の状態を示す斜視図
【図８】この発明の実施の形態に係る他の実施の形態の毛髪用ブラシ本体に毛髪用ブラシ交換用刃物を装着した後の状態を示す斜視図
【図９】この発明の実施の形態に係る他の実施の形態の毛髪用ブラシの要部の一部拡大断面図
【図１０】この発明の実施の形態に係るさらに他の実施の形態に係る毛髪用ブラシの要部の拡大正面図
【図１１】この発明の実施の形態に係るさらに他の実施の形態に係る毛髪用ブラシの要部の一部拡大平面図
【図１２】背景技術の斜視図
【図１３】図１２のＡ−Ａ線断面図
【図１４】背景技術係る毛髪用ブラシの刃物の毛髪に対する切断要領を示す説明図
【符号の説明】
【０１１３】
１０  毛髪用ブラシ
１２  ブリッスル
１４  ブラシ本体
１６  取っ手
１８  刃物
１８ａ  刃物の刃先  
１８ｂ  刃物のカバー  
１８ｃ  突起
２０    毛髪ブラシ交換用刃物
２２  刃物用母材
２４  嵌合孔
２６  刃物用母材の凹凸面
２８  ブラシ本体の凹凸面
３０  ストッパー 
３２  係合段部
３４  つまみ
５０  毛髪用ブラシ
５２  ブリッスル
５４  ブラシ本体
５６  刃物
５６ａ  刃先
Ｈ  毛髪
Ｔ  頭皮
【図１】
2004160205.tif 000003
【図２】
2004160205.tif 000004
【図３】
2004160205.tif 000005
【図４】
2004160205.tif 000006
【図５】
2004160205.tif 000007
【図６】
2004160205.tif 000008
【図７】
2004160205.tif 000009
【図８】
2004160205.tif 000010
【図９】
2004160205.tif 000011
【図１０】
2004160205.tif 000012
【図１１】
2004160205.tif 000013
【図１２】
2004160205.tif 000014
【図１３】
2004160205.tif 000015
【図１４】
2004160205.tif 000016